【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
患者の会陰ウィンドウを通して前立腺を治療するための超音波治療システムにおいて、
前記患者の会陰に隣接して位置決めされるとともに前記前立腺に焦点を当てるときに前記会陰ウィンドウの骨によって最小限にしかブロックされない超音波パルスを生成するようにサイズ設定および構成された超音波治療用変換器であって、前記超音波治療用変換器の外周部に沿ってまたはその近くに配設された開口部を含む、超音波治療用変換器と、
前記超音波治療用変換器の前記開口部に配設された経直腸式撮像用変換器と
を備える超音波治療システム。
【請求項２】
請求項１に記載の超音波治療システムにおいて、前記治療用変換器は、直径が８０ｍｍから１８０ｍｍの範囲にあり、焦点距離が７０ｍｍから１５０ｍｍの範囲にあり、Ｆ値が１．２未満である、超音波治療システム。
【請求項３】
請求項１に記載の超音波治療システムにおいて、前記超音波治療用変換器の前記開口部が、丸形、半円形、正方形、矩形、三角形、および平板形からなる群から選択された形状を有する、超音波治療システム。
【請求項４】
請求項１に記載の超音波治療システムにおいて、前記超音波治療用変換器の前記開口部が、前記経直腸式撮像用変換器に干渉することなく、前記超音波パルスの治療焦点を前記前立腺の全領域に位置決めする前記超音波治療用変換器の動きに対応するように構成されている、超音波治療システム。
【請求項５】
請求項１に記載の超音波治療システムにおいて、前記超音波治療用変換器が、「ハート形」の変換器を備え、前記会陰の後方部分に設置されるように適合された広幅の端部と、前記会陰の前方部分に設置されるように適合された細い端部とを有し、前記超音波治療用変換器の前記開口部が、前記超音波治療用変換器の前記広幅の端部に配設される、超音波治療システム。
【請求項６】
請求項１に記載の超音波治療システムにおいて、前記超音波治療用変換器が単一の超音波変換器素子を備える、超音波治療システム。
【請求項７】
請求項１に記載の超音波治療システムにおいて、前記超音波治療用変換器が複数の超音波変換器素子を備える、超音波治療システム。
【請求項８】
請求項７に記載の超音波治療システムにおいて、前記複数の超音波変換器素子が丸形である、超音波治療システム。
【請求項９】
請求項７に記載の超音波治療システムにおいて、前記複数の超音波変換器素子が六角形である、超音波治療システム。
【請求項１０】
請求項１に記載の超音波治療システムにおいて、前記経直腸式撮像用変換器が、遠位セクションと、前記遠位セクションに隣接する中間セクションとを備え、前記遠位セクションの第１の直径が前記中間セクションの第２の直径よりも大きい、超音波治療システム。
【請求項１１】
請求項１０に記載の超音波治療システムにおいて、前記経直腸式撮像用変換器がさらに、前記中間セクションに隣接する近位セクションを備え、前記近位セクションの第３の直径が前記中間セクションの第２の直径よりも大きい、超音波治療システム。
【請求項１２】
請求項１０に記載の超音波治療システムにおいて、前記第１の直径が２０ｍｍ以下である、超音波治療システム。
【請求項１３】
請求項１０に記載の超音波治療システムにおいて、前記第２の直径が１２ｍｍ以下である、超音波治療システム。
【請求項１４】
請求項１０に記載の超音波治療システムにおいて、前記第１の直径が１５ｍｍから２０ｍｍの範囲にあり、前記第２の直径が６ｍｍから１２ｍｍの範囲にある、超音波治療システム。
【請求項１５】
請求項１１に記載の超音波治療システムにおいて、前記第１の直径および前記第３の直径が１５ｍｍから２０ｍｍの範囲にあり、前記第２の直径が６ｍｍから１２ｍｍの範囲にある、超音波治療システム。
【請求項１６】
請求項１に記載の超音波治療システムにおいて、前記超音波治療用変換器が、前記超音波治療用変換器の焦点ゾーンで前記前立腺内にキャビテーションマイクロ気泡を形成するヒストトリプシ治療パルスを送達して表面組織または介在する組織にダメージを与えることなしに前立腺組織を機械的に分断するように構成されている、超音波治療システム。
【手続補正２】
【補正対象書類名】明細書
【補正対象項目名】００８４
【補正方法】変更
【補正の内容】
【００８４】
[000105]本発明に関連するさらなる詳細については、材料および製造技術は当業者のレベル内で使用することができる。一般または論理的に用いられるさらなる機能に関して、同じことが本発明の方法に基づく態様に当てはまる。さらに、本発明の上述の変形形態の任意のどの特性も独立にまたは本明細書で説明した任意の１つまたは複数の特性と組み合わせて記載および請求できることが企図される。同様に、単数項目の言及は同じ項目が複数存在する可能性を含む。より具体的には、本明細書および添付の特許請求の範囲では、単数形「ａ」、「ａｎｄ」、「ｓａｉｄ」、および「ｔｈｅ」は、別段の明確な記述がない限り、複数の指示対象を含む。特許請求の範囲が任意の要素を除外するように起草できることがさらに留意されよう。したがって、この記述は、特許請求の範囲の要素に関連した「ｓｏｌｅｌｙ」、「ｏｎｌｙ」などの排他的用語の使用、または「ｎｅｇａｔｉｖｅ（否定的な）」制限の使用に対する前提として機能するものである。本明細書で別段の定義がない限り、本明細書で用いる全ての技術用語および科学用語は、本発明が属する分野の当業者が共通に理解するのと同じ意味を有する。本発明の範囲は、本明細書によって限定されることはなく、使用される特許請求の範囲の用語の一般的な意味によってのみ限定される。
［形態１］
患者の会陰ウィンドウを通して前立腺を治療するための超音波治療システムにおいて、
前記患者の会陰に隣接して位置決めされるとともに前記前立腺に焦点を当てるときに前記会陰ウィンドウの骨によって最小限にしかブロックされない超音波パルスを生成するようにサイズ設定および構成された超音波治療用変換器であって、前記超音波治療用変換器の外周部に沿ってまたはその近くに配設された開口部を含む、超音波治療用変換器と、
前記超音波治療用変換器の前記開口部に配設された経直腸式撮像用変換器と
を備える超音波治療システム。
［形態２］
形態１に記載の超音波治療システムにおいて、前記治療用変換器は、直径が８０ｍｍから１８０ｍｍの範囲にあり、焦点距離が７０ｍｍから１５０ｍｍの範囲にあり、Ｆ値が１．２未満である、超音波治療システム。
［形態３］
形態１に記載の超音波治療システムにおいて、前記超音波治療用変換器の前記開口部が、丸形、半円形、正方形、矩形、三角形、および平板形からなる群から選択された形状を有する、超音波治療システム。
［形態４］
形態１に記載の超音波治療システムにおいて、前記超音波治療用変換器の前記開口部が、前記経直腸式撮像用変換器に干渉することなく、前記超音波パルスの治療焦点を前記前立腺の全領域に位置決めする前記超音波治療用変換器の動きに対応するように構成されている、超音波治療システム。
［形態５］
形態１に記載の超音波治療システムにおいて、前記超音波治療用変換器が、「ハート形」の変換器を備え、前記会陰の後方部分に設置されるように適合された広幅の端部と、前記会陰の前方部分に設置されるように適合された細い端部とを有し、前記超音波治療用変換器の前記開口部が、前記超音波治療用変換器の前記広幅の端部に配設される、超音波治療システム。
［形態６］
形態１に記載の超音波治療システムにおいて、前記超音波治療用変換器が単一の超音波変換器素子を備える、超音波治療システム。
［形態７］
形態１に記載の超音波治療システムにおいて、前記超音波治療用変換器が複数の超音波変換器素子を備える、超音波治療システム。
［形態８］
形態７に記載の超音波治療システムにおいて、前記複数の超音波変換器素子が丸形である、超音波治療システム。
［形態９］
形態７に記載の超音波治療システムにおいて、前記複数の超音波変換器素子が六角形である、超音波治療システム。
［形態１０］
形態１に記載の超音波治療システムにおいて、前記経直腸式撮像用変換器が、遠位セクションと、前記遠位セクションに隣接する中間セクションとを備え、前記遠位セクションの第１の直径が前記中間セクションの第２の直径よりも大きい、超音波治療システム。
［形態１１］
形態１０に記載の超音波治療システムにおいて、前記経直腸式撮像用変換器がさらに、前記中間セクションに隣接する近位セクションを備え、前記近位セクションの第３の直径が前記中間セクションの第２の直径よりも大きい、超音波治療システム。
［形態１２］
形態１０に記載の超音波治療システムにおいて、前記第１の直径が２０ｍｍ以下である、超音波治療システム。
［形態１３］
形態１０に記載の超音波治療システムにおいて、前記第２の直径が１２ｍｍ以下である、超音波治療システム。
［形態１４］
形態１０に記載の超音波治療システムにおいて、前記第１の直径が１５ｍｍから２０ｍｍの範囲にあり、前記第２の直径が６ｍｍから１２ｍｍの範囲にある、超音波治療システム。
［形態１５］
形態１１に記載の超音波治療システムにおいて、前記第１の直径および前記第３の直径が１５ｍｍから２０ｍｍの範囲にあり、前記第２の直径が６ｍｍから１２ｍｍの範囲にある、超音波治療システム。
［形態１６］
形態１に記載の超音波治療システムにおいて、前記超音波治療用変換器が、前記超音波治療用変換器の焦点ゾーンで前記前立腺内にキャビテーションマイクロ気泡を形成するヒストトリプシ治療パルスを送達して表面組織または介在する組織にダメージを与えることなしに前立腺組織を機械的に分断するように構成されている、超音波治療システム。
［形態１７］
ヒストトリプシ治療によって患者の会陰ウィンドウを通して前立腺を治療する方法において、
超音波治療用変換器を前記患者の会陰に隣接するように位置決めするステップと、
経直腸式撮像用探触子を前記患者の直腸内に位置決めするステップであって、前記経直腸式撮像用探触子が前記超音波治療用変換器の開口部によって受容される、位置決めするステップと、
前記撮像用探触子からの干渉なしに、前記撮像用探触子に対する前記超音波治療用変換器の直線位置、パン位置、またはチルト位置を調節するステップと、
前記撮像用探触子による前記前立腺の超音波画像を獲得するステップと、
前記前立腺を治療するために前記前立腺に焦点を当てるときに前記会陰ウィンドウの骨によって最小限にしかブロックされないヒストトリプシパルスを生成するステップと
を含む方法。
［形態１８］
形態１７に記載の方法において、ヒストトリプシパルスを生成するステップが、デューティサイクルが５％未満で短い（＜２０μ秒）高圧（ピーク負圧＞１０ＭＰａ）衝撃超音波パルスを生成するステップを含む、方法。